(57)【要約】【課題】ファスナー周辺の耐久性を有し、かつ防水性能を有するスライドファスナーの取り付け構造物を提供する。【解決手段】ミシンで縫い合わせることなく、溶着材によって取り付けられたスライドファスナーの取り付け構造物であって、生地端が裏面側に折り返された表生地と、裏面側に二つ折りされた補強生地と、スライドファスナーとによって構成され、表生地の裏面側に折り返された生地端の表面が、補強生地の一方の表面と溶着剤で接合され、当該補強生地の他方の表面とファスナーテープとが溶着剤で接合されていることを特徴とするスライドファスナーの取り付け構造物。【選択図】図２
2014122436.tif 000002
【特許請求の範囲】
【請求項１】
ミシンで縫い合わせることなく、溶着材によって取り付けられたスライドファスナーの取り付け構造物であって、生地端が裏面側に折り返された表生地と、裏面側に二つ折りされた補強生地と、スライドファスナーとによって構成され、表生地の裏面側に折り返された生地端の表面が、補強生地の一方の表面と溶着剤で接合され、当該補強生地の他方の表面とファスナーテープとが溶着剤で接合されていることを特徴とするスライドファスナーの取り付け構造物。
【請求項２】
表生地と補強生地、および補強生地とファスナーテープとを接合する溶着材がひと続きの部材からなることを特徴とする請求項１に記載のスライドファスナーの取付け構造物。
【請求項３】
請求項１または２に記載のスライドファスナーの取付け構造物を有する防水衣料。
【発明の詳細な説明】
【技術分野】
【０００１】
本発明は、ミシンで縫い合わせることなく、溶着材によって取り付けられたスライドファスナーの取付け構造物に関する。
【背景技術】
【０００２】
従来、溶着材によってスライドファスナーを取り付ける方法として、溶断した生地端し部分とスライドファスナーとを合成樹脂テープを介して接合する方法（例えば、特許文献１参照）などが一般的であるが、溶断した生地端部分が外部に露出していることにより、繰り返しの着用などで生地端が解れやすいという問題があった。こういった問題を改善するため、表生地の生地端に沿ってコート処理し、生地端の解れを防止する方法が提案されている（例えば、特許文献２参照）。また同様に、ファスナー周辺の強度を長期間維持させるために、生地端を身頃側に折り返して形成させることにより生地端の露出をなくし、解れを防止する方法が提案されている（例えば、特許文献３参照）。
【０００３】
しかしながら、これらの方法は、生地と別布とを溶着材で接合しているものの、最終的にスライドファスナーを取り付ける際にミシンで縫い合わせることで接合しているため、防水ファスナーを採用したような防水衣料に適用した場合、縫い目の針穴部分から水が浸入しやすくなり、防水衣料としての性能が充分に得られるものではなかった。
【先行技術文献】
【特許文献】
【０００４】
【特許文献１】特開２００４−５２１６２号公報
【特許文献２】特開２００５−３５８３０号公報
【特許文献３】特開２０１１−０６８１７号公報
【発明の概要】
【発明が解決しようとする課題】
【０００５】
そこで本発明の目的は、上記の従来技術の問題点を解決することにあり、ファスナー周辺の耐久性を有し、かつ防水性能を有するスライドファスナーの取り付け構造物を提供することにある。
【課題を解決するための手段】
【０００６】
本発明は、上記の課題を解決するため、次の構成を採用する。すなわち、本発明のスライドファスナーの取り付け構造物は、ミシンで縫い合わせることなく、溶着材によって取り付けられたスライドファスナーであって、生地端が裏面側に折り返された表生地と、裏面側に二つ折りされた補強生地と、スライドファスナーとによって構成され、表生地の裏面側に折り返された生地端の表面が、補強生地の一方の表面と溶着剤で接合され、当該補強生地の他方の表面とファスナーテープとが溶着剤で接合されていることを特徴とする。
【０００７】
また、本発明のスライドファスナーの取り付け構造物の好ましい手段は、表生地と補強生地、および補強生地とファスナーテープとを接合する溶着材がひと続きの部材からなることを特徴とする。さらに、本発明のスライドファスナーの取り付け構造物は、防水衣料のものであることを特徴とする。
【発明の効果】
【０００８】
本発明によれば、ファスナー周辺の耐久性を有し、かつ防水性能を有するスライドファスナーの取り付け構造物が得られる。
【図面の簡単な説明】
【０００９】
【図１】本発明の一態様の断面を模式的に示す図である。
【図２】本発明の好ましい一態様の断面を模式的に示す図である。
【図３】本発明の一態様を得る手順を模式的に示す図である。
【図４】本発明の好ましい一態様を得る手順を模式的に示す図である。
【発明を実施するための形態】
【００１０】
図１に本発明のスライドファスナーの取り付け構造物の一態様を示す。表生地２の生地端が裏面側に二つ折りされた表面２ａと、裏面側に二つ折りされた補強生地３の一方の表面３ａとが溶着材４で接合され、当該補強生地３の他方の表面３ｂと、ファスナーテープ５とが溶着材６で接合されている。本発明のスライドファスナーの取り付け構造は、図１に示すようにミシンで縫い合わせることなく、溶着材によって部材どうしを接合することを特徴とする。そうすることにより、表生地２、補強生地３、およびファスナーテープ５をミシン針で傷つけることなく接合することができるため、防水性能を有するスライドファスナーの取り付け構造物を得ることができる。
【００１１】
本発明のスライドファスナーの取り付け構造物を得る場合、表生地２および補強生地３の素材としては特に制限はなく、天然繊維や化学繊維からなる素材を適用することができる。また、当該素材については、織物、編物、不織布などのテキスタイルに関わらず、フィルムシートやプラスチック板などの樹脂素材なども適用することができるものであるが、本発明の特徴を活用するため防水性能を有する素材を適用することが好適である。
【００１２】
補強生地３は、表生地２と同様に素材としての制限はないが、仕上がりの見栄えや経済性の観点から表生地２と同じ素材を適用することが好ましい。防水性能を有する素材を適用する場合、一般的な衣料素材では裏面に防水のためのコーティング処理が施されている場合がある。これは本発明の衣服のスライドファスナーの取り付け方法を得る上で障害となるものではないが、コーティングが剥がれやすいものがあるため、コーティングされた面を裏面として二つ折りにして補強生地３とすることが好ましい。また、補強生地３として、基布に接着樹脂（ポリエチレン系、ポリアミド系、ポリエステル系樹脂など）を付着させた接着芯地や接着テープを適用しても良い。
【００１３】
溶着材としては、溶融したジェル状の接着樹脂を塗布したものや、ポリウレタン系樹脂をシート状にしたもの、またはエチレン酢酸ビニル共重合体などをシート状にしたものなどを適用することが出来るが、溶着材単体で構成されたシート状の部材を適用することが好ましい。溶着材の厚みは、一般的な衣料素材の溶着であれば５０μｍ〜２００μｍのものが好適であり、より好ましくは、１００〜１５０μｍのものが良い。それにより、必要な溶着力と衣料品としての柔らかさのバランスが得られやすい。溶着力が得られにくい場合は、溶着材を二重にして使用することもできる。
【００１４】
溶着材で部材どうしを接合させる手段としては、加熱しながら圧力を加えられるものが適用できる。ヒートアイロンをはじめ、平板型の熱プレスやローラー型の熱プレス、高周波プレスや超音波プレスなどが適用できる。好ましくは、温度や圧力を管理・調整しやすい平板型のプレス類が好適であるが、特に高周波プレスは、内部過熱による熱溶着が可能であるため、熱が伝わりにくい部材を使用する場合や、本発明のような多層構造の接合体を構成する場合に好適である。
【００１５】
本発明のスライドファスナーの取り付け構造物を得る手順として、図３に一例をしめす。表生地２の表面に溶着材４を配置し、さらに補強生地３を表面が溶着材側になるように配置して加熱処理を行い接合する。次いで表生地２、溶着材４、補強生地３の当該接合部分にＹ字形状の切り込み７を入れる。
【００１６】
該Ｙ字形状の切り込み７は、所定の長さの直線部と、その一端から所定の角度と長さをもって分岐する２本の直線からなる斜線部とによって形成されるＹ字状であって、直線部の始点をＢ、分岐点をＯ、２本の直線からなる左側斜線部の終点をＤ、右側斜線部の終点をＥ、左側斜線部の終点Ｄから直線部と平行に直線部の始点Ｂに対応する補強生地３の端部の位置をＡ、同様に、右側斜線部の終点Ｅから直線部と平行に直線部の始点Ｂに対応する補強生地３の端部の位置をＣとすると、表生地２の切込み片Ａ−Ｂ−Ｏ−ＤをＡ−Ｄの線を中心に内側（図において上から下方に向かって）方向に折り曲げ、同様に、切込み片Ｃ−Ｂ−Ｏ−ＥをＣ−Ｅの線を中心に内側（図において上から下方に向かって）方向に折り曲げ、切込み片Ｏ−Ｄ−ＥをＤ−Ｅの線を中心に内側（図において上から下方に向かって）方向に折り曲げ、最終的には補強生地３をすべて切り込み７の中へくぐらせることにより反転させ、スライドファスナーを取り付ける表生地２の長方形の開口部８を得る。最後に、反転させた補強生地３とファスナーテープ５とを溶着材６を介して接合し、本発明のスライドファスナーの取り付け構造物を得る。
【００１７】
また、本発明のスライドファスナーの取り付け構造物のより好ましい態様は、図２に示すように、表生地２と補強生地３とを接合する溶着材４および、補強生地３とファスナーテープ５とを接合する溶着材６がひと続きの部材からなることを特徴とする。そうすることにより、補強生地３に当接する溶着材４および溶着材６を加工手順の中で同時に配置し、同時に加熱して当接することができるため、補強生地３をＹ字形状の切り込み７の中へくぐらせた後に改めて溶着材を当接させる必要がなく、比較的容易に美しいスライドファスナーの取り付け構造物を得ることができる。
【００１８】
詳しくは、図４に示した本発明のスライドファスナーの取り付け構造物の好ましい一態様を得る手順のように、基本的な手順は、図３に示したものと同じであるが、表生地２の表面に配置する溶着材４を、溶着材６を含む一続きの溶着材として配置し、加熱処理を行って接合する。次いで、当該接合部分にＹ字形状の切り込み７を入れた後、補強生地３を切り込み７の中へくぐらせて反転させ、スライドファスナーを取り付ける表生地２の開口部８を得る。最後に、反転させた補強生地３とファスナーテープ５とを溶着材６を介して接合し、本発明のスライドファスナーの取り付け構造の好ましい一態様を得る。この時、溶着材６となる部分は、表生地２との間に離型紙９を配置しておくことが重要である。そうすることにより、Ｙ字形状の切り込み７を入れた後、補強生地３を切り込み７の中へくぐらせて反転させた時、溶着材６は表生地２に当接することなく反転させることができる。
【００１９】
離型紙９は、加熱加工した後でも容易に剥がせるものであれば、素材を限定されるものではないが、溶着材に予め当接されている離型紙をそのまま利用することができる。溶着材４に当接する離型紙だけを取り除く手段としては、ルレットのような器具で離型紙にミシン目の切り込みを入れたり、レーザー裁断機で予めミシン目の切り込みを入れておく方法が利用できる。
【実施例】
【００２０】
以下、実施例に基づいて本発明をさらに具体的に説明する。なお、実施例における各評価は次のとおり行った。
（１）ミシンによる縫い合わせの有無
表生地側にミシンによる縫い合わせ箇所が露出しているものは、防水性が劣ると評価して×の表示を、ミシンによる縫い合わせ箇所が露出していないものは、防水性に優れると評価して○で表示した。
（２）生地端の露出の有無
表生地や補強生地の生地端が表側に露出しているものは、耐久性に劣ると評価して×の表示を、露出していないものは耐久性に優れると評価して○で表示した。
（３）スライドファスナーの取り付け易さ
表生地および補強生地で構成した生地の開口部にスライドファスナーを接合する再、比較的容易に取り付けられた場合は○、作業しにくい場合は×を、判定が難しい場合は△を表示した。
（実施例１）
図３のように、ナイロン１００％の長繊維織物の裏面にウレタンコーティングを施した透湿防水素材を表生地２とし、その表面に溶着材４としてウレタン系ホットメルトシート（幅２ｃｍ、長さ１０ｃｍ、厚さ１００μｍ）を介して表生地と同じ素材を使用した補強生地３（幅４ｃｍ、長さ１２ｃｍ）を重ね、両者を平板型熱プレス（１６０℃、２．０ｋｇ／ｃｍ２、１０秒）で溶着させた。次いで、当該溶着部分にＹ字形状の切り込み７を入れ、補強生地３を切り込み７の中へくぐらせて反転させてアイロンで形を整え、スライドファスナーを取り付ける表生地の開口部８を構成した。次いで、当該補強生地３とスライドファスナーのファスナーテープ５とを上述した溶着材と同じホットメルトシートを介して当接し、平板型熱プレス（１６０℃、２．０ｋｇ／ｃｍ２、１０秒）で溶着、接合させ、本発明の実施例１のスライドファスナーの取り付け構造を得た。
（実施例２）
図４のように、ナイロン１００％の長繊維織物の裏面にウレタンコーティングを施した透湿防水素材を表生地２とし、その表面に溶着材４としてウレタン系ホットメルトシート（幅４ｃｍ、長さ１２ｃｍ、厚さ１００μｍ）を介して表生地と同じ素材を使用した補強生地３（幅４ｃｍ、長さ１２ｃｍ）を重ね、両者を平板型熱プレス（１６０℃、２．０ｋｇ／ｃｍ２、１０秒）で溶着させた。この時、ホットメルトシートに当接されている離型紙９の内、中央の幅２ｃｍ、長さ１０ｃｍの範囲のみ取り除いて表生地２と溶着させるが、その周囲の離型紙は残して、ホットメルトシートが表生地２と直接触れないようにした。
【００２１】
次いで、当該溶着部分にＹ字形状の切り込み７を入れ、補強生地３を切り込み７の中へくぐらせて反転させてアイロンで形を整え、スライドファスナーを取り付ける表生地の開口部８を構成した。次いで、当該補強生地３に溶着されたホットメルトシートに残していた離型紙を取り除き、スライドファスナーのファスナーテープ５に当接し、平板型熱プレス（１６０℃、２．０ｋｇ／ｃｍ２、１０秒）で溶着、接合させ、本発明の実施例２のスライドファスナーの取り付け構造を得た。
（比較例）
特許文献３の［００２０］項以降に記載された方法により本発明の比較例１を得た。
【００２２】
表１から明らかなように、本発明の実施例１および実施例２は、ミシンによる縫い合わせが無いことや、表生地の生地端が露出していないことなどから、防水性に優れ、且つファスナー周辺の耐久性も優れるものであると言える。また、本発明の実施例２においては、スライドファスナーを接合する溶着材の設置が容易であり、製造工程上も優れるものであると言える。
【００２３】
【表１】
2014122436.tif 000003
【産業上の利用可能性】
【００２４】
本発明の衣服によれば、ファスナー周辺の耐久性を有し、かつ防水性能を有するスライドファスナーの取り付け構造が得られる。
【符号の説明】
【００２５】
１：スライドファスナー
２：表生地
２（ａ）：内側に折り返した表生地の表面
３：補強生地
３（ａ）：内側に二つ折りした補強生地の一方の表面
３（ｂ）：内側に二つ折りした補強生地の他方の表面
４：溶着材
５：ファスナーテープ
６：溶着材
７：Ｙ字形状の切り込み
８：表生地の開口部
９：離型紙
【図１】
2014122436.tif 000004
【図２】
2014122436.tif 000005
【図３】
2014122436.tif 000006
【図４】
2014122436.tif 000007